(57)【要約】【課題】マーカーに対する波形の情報を、測定者が任意の位置に簡便に表示することのできる測定装置を提供する。【解決手段】測定装置１は、表示画面１７上の接触位置を検出可能なタッチパネル１６と、測定データを記憶する記憶部１９と、表示画面１７に測定データに基づく波形Ａ，Ｂを表示する波形表示処理手段３０と、波形Ａ上の接触位置にマーカーＭａ１を表示すると共にマーカーＭａ１の位置に対応する波形Ａの情報を示す情報表示枠Ｃａ１を表示画面１７に表示して、情報表示枠Ｃａ１の表示位置を、情報表示枠Ｃａ１に対する接触位置の移動に対応させて移動させる情報表示処理手段３１とを備えている。【選択図】図５
2014153312.tif 000002
【特許請求の範囲】
【請求項１】
表示画面上の接触位置を検出可能なタッチパネルと、
測定データを記憶する記憶部と、
前記測定データに基づく波形を前記表示画面に表示する波形表示処理手段と、
前記波形上の接触位置にマーカーを表示すると共に前記マーカーの位置に対応する前記波形の情報を前記表示画面に表示して、前記情報の表示位置を、前記情報に対する接触位置の移動に対応させて移動させる情報表示処理手段とを、備えることを特徴とする測定装置。
【請求項２】
前記情報表示処理手段が、前記波形に対する前記マーカー及び前記情報の表示位置を、前記波形に対して再表示可能に、前記記憶部に記憶させることを特徴とする請求項１に記載の測定装置。
【請求項３】
前記情報に対しコメントを入力するためのコメント入力手段を備え、
前記情報表示処理手段が、入力された前記コメントを前記情報に追加して表示することを特徴とする請求項１又は２に記載の測定装置。
【請求項４】
外部機器と接続するための外部インタフェース部、及び／又は、外部記録媒体に書き込むための外部記録装置を備え、
前記情報表示処理手段が、前記表示画面に表示されている表示画像データを、前記外部インタフェース部から出力可能であり、及び／又は、前記外部記録装置から前記外部記録媒体に書き込み可能であることを特徴とする請求項１から３のいずれかに記載の測定装置。
【請求項５】
前記情報表示処理手段が、前記波形のスクロール表示に対応させて、前記波形と共に前記マーカー及び前記情報の表示位置を移動させることを特徴とする請求項１から４のいずれかに記載の測定装置。
【請求項６】
前記情報表示処理手段が、前記情報と前記マーカーとを繋ぐ引き出し線を表示することを特徴とする請求項１から５のいずれかに記載の測定装置。
【請求項７】
前記情報表示処理手段が、前記記憶部に記憶された前記マーカー及び前記情報の表示位置を検索可能であることを特徴とする請求項１から６のいずれかに記載の測定装置。
【請求項８】
前記情報表示処理手段が、前記マーカーの表示位置を、前記マーカーに対する接触位置の移動に対応させて、前記波形上を移動させることを特徴とする請求項１から７のいずれかに記載の測定装置。
【請求項９】
表示画面上の接触位置を検出可能なタッチパネルを備えるコンピュータに、測定データに基づく波形を表示させるプログラムであって、
前記コンピュータを、
測定データを記憶する記憶部と、
前記測定データに基づく波形を前記表示画面に表示する波形表示処理手段と、
前記波形上の接触位置にマーカーを表示すると共に前記マーカーの位置に対応する前記波形の情報を前記表示画面に表示して、前記情報の表示位置を、前記情報に対する接触位置の移動に対応させて移動させる情報表示処理手段として、動作させることを特徴とするプログラム。
【請求項１０】
前記情報表示処理手段が、前記波形に対する前記マーカー及び前記情報の表示位置を、前記波形に対して再表示可能に、前記記憶部に記憶させることを特徴とする請求項９に記載のプログラム。
【請求項１１】
前記コンピュータを、前記情報に対しコメントを入力するためのコメント入力手段として動作させ、
前記情報表示処理手段が、入力された前記コメントを前記情報に追加して表示することを特徴とする請求項９又は１０に記載のプログラム。
【請求項１２】
前記コンピュータが、外部機器と接続するための外部インタフェース部、及び／又は、外部記録媒体に書き込むための外部記録装置を備えており、
前記情報表示処理手段が、前記表示画面に表示されている表示画像データを、前記外部インタフェース部から出力可能であり、及び／又は、前記外部記録装置から前記外部記録媒体に書き込み可能であることを特徴とする請求項９から１１のいずれかに記載のプログラム。
【請求項１３】
前記情報表示処理手段が、前記波形のスクロール表示に対応させて、前記波形と共に前記マーカー及び前記情報の表示位置を移動させることを特徴とする請求項９から１２のいずれかに記載のプログラム。
【請求項１４】
前記情報表示処理手段が、前記情報と前記マーカーとを繋ぐ引き出し線を表示することを特徴とする請求項９から１３のいずれかに記載のプログラム。
【請求項１５】
前記情報表示処理手段が、前記記憶部に記憶された前記マーカー及び前記情報の表示位置を検索可能であることを特徴とする請求項９から１４のいずれかに記載のプログラム。
【請求項１６】
前記情報表示処理手段が、前記マーカーの表示位置を、前記マーカーに対する接触位置の移動に対応させて、前記波形上を移動させることを特徴とする請求項９から１５のいずれかに記載のプログラム。
【発明の詳細な説明】
【技術分野】
【０００１】
本発明は、表示画面に測定データに基づく波形を表示する測定装置、及び、コンピュータの表示画面に測定データに基づく波形を表示させるプログラムに関するものである。
【背景技術】
【０００２】
測定装置には、例えば、波形記録装置、デジタルオシロスコープ、データロガーなど、測定結果を波形で表示するものがある。
【０００３】
このような測定装置の中には、波形上の任意の位置にマーカーを表示して、マーカーの位置の縦軸の値（電圧、電流、電力、温度等の測定データ）や横軸の値（時間等）を示す数値を表示したり、波形のチャネル番号を表示したりするように、マーカーの位置の波形の情報を文字で表示できるものがある。
【０００４】
例えば特許文献１には、表示画面を複数領域に分割して、マーカーと重ならない領域にテキスト情報を移動させる波形測定装置が記載されている。
【先行技術文献】
【特許文献】
【０００５】
【特許文献１】特開２００２−２６７６９１号公報
【発明の概要】
【発明が解決しようとする課題】
【０００６】
特許文献１の測定装置では、マーカーと重ならない位置に自動的に情報（テキスト情報）が表示される。しかしながら、情報が波形と重なって判別し難くなる場合もあり、測定者（操作者）が任意の位置に情報を表示させたいという要求がある。
【０００７】
本発明は前記の課題を解決するためになされたもので、マーカーに対する波形の情報を、操作者が任意の位置に簡便に表示することのできる測定装置、及びプログラムを提供することを目的とする。
【課題を解決するための手段】
【０００８】
前記の目的を達成するためになされた、特許請求の範囲の請求項１に記載された測定装置は、表示画面上の接触位置を検出可能なタッチパネルと、測定データを記憶する記憶部と、前記測定データに基づく波形を前記表示画面に表示する波形表示処理手段と、前記波形上の接触位置にマーカーを表示すると共に前記マーカーの位置に対応する前記波形の情報を前記表示画面に表示して、前記情報の表示位置を、前記情報に対する接触位置の移動に対応させて移動させる情報表示処理手段とを、備えることを特徴とする。
【０００９】
請求項２に記載された測定装置は、請求項１に記載のものであり、前記情報表示処理手段が、前記波形に対する前記マーカー及び前記情報の表示位置を、前記波形に対して再表示可能に、前記記憶部に記憶させることを特徴とする。
【００１０】
請求項３に記載された測定装置は、請求項１又は２に記載のものであり、前記情報に対しコメントを入力するためのコメント入力手段を備え、前記情報表示処理手段が、入力された前記コメントを前記情報に追加して表示することを特徴とする。
【００１１】
請求項４に記載された測定装置は、請求項１から３のいずれかに記載のものであり、外部機器と接続するための外部インタフェース部、及び／又は、外部記録媒体に書き込むための外部記録装置を備え、前記情報表示処理手段が、前記表示画面に表示されている表示画像データを、前記外部インタフェース部から出力可能であり、及び／又は、前記外部記録装置から前記外部記録媒体に書き込み可能であることを特徴とする。
【００１２】
請求項５に記載された測定装置は、請求項１から４のいずれかに記載のものであり、前記情報表示処理手段が、前記波形のスクロール表示に対応させて、前記波形と共に前記マーカー及び前記情報の表示位置を移動させることを特徴とする。
【００１３】
請求項６に記載された測定装置は、請求項１から５のいずれかに記載のものであり、前記情報表示処理手段が、前記情報と前記マーカーとを繋ぐ引き出し線を表示することを特徴とする。
【００１４】
請求項７に記載された測定装置は、請求項１から６のいずれかに記載のものであり、前記情報表示処理手段が、前記記憶部に記憶された前記マーカー及び前記情報の表示位置を検索可能であることを特徴とする。
【００１５】
請求項８に記載された測定装置は、請求項１から７のいずれかに記載のものであり、前記情報表示処理手段が、前記マーカーの表示位置を、前記マーカーに対する接触位置の移動に対応させて、前記波形上を移動させることを特徴とする。
【００１６】
請求項９に記載されたプログラムは、表示画面上の接触位置を検出可能なタッチパネルを備えるコンピュータに、測定データに基づく波形を表示させるプログラムであって、前記コンピュータを、測定データを記憶する記憶部と、前記測定データに基づく波形を前記表示画面に表示する波形表示処理手段と、前記波形上の接触位置にマーカーを表示すると共に前記マーカーの位置に対応する前記波形の情報を前記表示画面に表示して、前記情報の表示位置を、前記情報に対する接触位置の移動に対応させて移動させる情報表示処理手段として、動作させることを特徴とする。
【００１７】
請求項１０に記載されたプログラムは、請求項９に記載のものであり、前記情報表示処理手段が、前記波形に対する前記マーカー及び前記情報の表示位置を、前記波形に対して再表示可能に、前記記憶部に記憶させることを特徴とする。
【００１８】
請求項１１に記載されたプログラムは、請求項９又は１０に記載のものであり、前記コンピュータを、前記情報に対しコメントを入力するためのコメント入力手段として動作させ、前記情報表示処理手段が、入力された前記コメントを前記情報に追加して表示することを特徴とする。
【００１９】
請求項１２に記載されたプログラムは、請求項９から１１のいずれかに記載のものであり、前記コンピュータが、外部機器と接続するための外部インタフェース部、及び／又は、外部記録媒体に書き込むための外部記録装置を備えており、
前記情報表示処理手段が、前記表示画面に表示されている表示画像データを、前記外部インタフェース部から出力可能であり、及び／又は、前記外部記録装置から前記外部記録媒体に書き込み可能であることを特徴とする。
【００２０】
請求項１３に記載されたプログラムは、請求項９から１２のいずれかに記載のものであり、前記情報表示処理手段が、前記波形のスクロール表示に対応させて、前記波形と共に前記マーカー及び前記情報の表示位置を移動させることを特徴とする。
【００２１】
請求項１４に記載されたプログラムは、請求項９から１３のいずれかに記載のものであり、前記情報表示処理手段が、前記情報と前記マーカーとを繋ぐ引き出し線を表示することを特徴とする。
【００２２】
請求項１５に記載されたプログラムは、請求項９から１４のいずれかに記載のものであり、前記情報表示処理手段が、前記記憶部に記憶された前記マーカー及び前記情報の表示位置を検索可能であることを特徴とする。
【００２３】
請求項１６に記載されたプログラムは、請求項９から１５のいずれかに記載のものであり、前記情報表示処理手段が、前記マーカーの表示位置を、前記マーカーに対する接触位置の移動に対応させて、前記波形上を移動させることを特徴とする。
【発明の効果】
【００２４】
本発明の測定装置及びプログラムによれば、表示画面上に表示したマーカーに対応する波形の情報を、タッチパネルの接触位置の移動に対応させて移動させることにより、測定者（操作者）の所望する任意の位置に、簡便な操作で情報を表示させることができる。
【００２５】
情報表示処理手段が、波形に対するマーカー及び情報の表示位置を、波形に対して再表示可能に記憶部に記憶する場合、測定者は、任意の時に、波形と共にマーカー及び情報の位置関係を再現させて表示させることができる。
【００２６】
情報に対するコメント入力手段を備えて、情報表示処理手段が入力されたコメントを情報に追加して表示する場合、コメントを情報と共に表示できるので便利である。
【００２７】
情報表示処理手段が、表示画面に表示されている表示画像データを、外部インタフェース部から外部機器に出力したり、外部記録装置から外部記録媒体に書き込む場合、測定者は、例えば外部のコンピュータで表示画像データを利用したり、紙に印刷して利用したり、外部記録媒体に保存したりすることができる。
【００２８】
情報表示処理手段が、波形のスクロール表示に合わせて、マーカー及び情報の表示位置を波形と共に移動させる場合、例えば情報の表示位置を移動させない場合と比較して、波形や情報を見やすくすることができる。
【００２９】
情報表示処理手段が、情報とマーカーとを繋ぐ引き出し線を表示する場合、情報の位置を移動させても、情報とマーカーとの関連付けを直ちに視認することができる。
【００３０】
情報表示処理手段が、記憶部に記憶されたマーカー及び情報の表示位置を検索可能である場合、例えば一画面内に波形を表示できない長い期間の測定データであっても、測定者はマーカーを付した波形の位置を直ちに確認することができる。
【図面の簡単な説明】
【００３１】
【図１】本発明を適用する測定装置の構成を示すブロック図である。
【図２】本発明を適用する測定装置の動作を示すフローチャートである。
【図３】本発明を適用する測定装置のタッチパネルの表示例及び操作例を示す図である。
【図４】本発明を適用する測定装置のタッチパネルの表示例を示す図である。
【図５】本発明を適用する測定装置のタッチパネルの表示例及び操作例を示す図である。
【図６】本発明を適用する測定装置のタッチパネルの表示例及び操作例を示す図である。
【図７】本発明を適用する測定装置のタッチパネルの表示例を示す図である。
【図８】本発明を適用する測定装置のタッチパネルの操作例を示す図である。
【図９】本発明を適用する測定装置のタッチパネルの表示例及び操作例を示す図である。
【図１０】本発明を適用する測定装置のタッチパネルの表示例及び操作例を示す図である。
【図１１】本発明を適用するプログラムを動作させるコンピュータの使用状態を示す概略図である。
【図１２】図１１に示すコンピュータの構成を示すブロック図である。
【図１３】図１１に示す測定ユニットの構成を示すブロック図である。
【発明を実施するための形態】
【００３２】
以下、発明を実施するための形態を詳細に説明するが、本発明の範囲はこれらの形態に限定されるものではない。
【００３３】
図１に、本発明を適用する測定装置１を示す。測定装置１は、測定用センサ１１、測定部１２、ＣＰＵ（中央処理演算装置）１５、タッチパネル１６、記憶部１９、外部Ｉ／Ｆ部２０、及び外部記録装置２１を備えている。
【００３４】
測定用センサ１１は、例えば温度センサ、電流センサ、電圧センサ、測定プローブなどである。測定用センサ１１は、測定チャネル分備えられている。測定装置１は、測定用センサ１１を着脱可能なコネクタを備えていてもよい。測定部１２は、一例として、測定用センサ１１によって測定された測定値を適正なレベルに増幅する増幅器１３、及び、増幅された測定値をアナログ／デジタル変換して測定データをＣＰＵ１５に出力するアナログ／デジタル変換器１４を備えている。測定用センサ１１及び測定部１２は、公知の測定装置と同様のものである。
【００３５】
ＣＰＵ１５は、記憶部１９に記憶されているプログラムに従って動作して、測定装置１の動作を統括的に制御して、測定部１２の動作を制御して測定を行わせると共に、後述するように、波形表示処理手段３０、情報表示処理手段３１、操作種別判別手段３２、及びコメント入力手段３３として動作する。
【００３６】
タッチパネル１６は、画像を表示可能な液晶パネルなどの表示画面１７と、表示画面１７上の接触位置を検知可能なタッチパッドなどの操作部１８とを組み合わせたものである。タッチパネル１６は、表示画面１７が操作部１８を兼ねているので、以下では操作部１８を表示画面１７ともいう。
【００３７】
記憶部１９は、書き換え可能な不揮発性メモリであり、ＣＰＵ１５の動作用のプログラム、測定データ、マーカーの表示位置、情報の表示位置、コメント、必要性に応じてマーカー位置の波形の情報を記憶するものである。記憶部１９は、例えば、フラッシュメモリなどの半導体メモリやハードディスクである。記憶部１９を、プログラム記憶部、測定データ記憶部、マーカー情報記憶部として各々別個のメモリを用いてもよいし、同図に示すように１つのメモリを共用して用いてもよい。
【００３８】
外部Ｉ／Ｆ部２０は、外部機器接続用のインタフェースである。外部Ｉ／Ｆ部２０は、例えば、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）、プリンタ接続インタフェースなどである。
【００３９】
外部記録装置２１は、ＵＳＢメモリやＳＤ（エスディー）メモリカードなどの携帯可能な半導体メモリや、ＣＤ（コンパクトディスク）−Ｒ（レコーダブル）／ＲＷ（リライタブル）といった光学ディスクメモリなどの外部記録媒体にデータを記録したり、外部記録媒体からデータを読み込んだりするための外部記憶媒体の書込／読込装置である。
【００４０】
次に、測定装置１の動作について図１〜図１０を参照して説明する。図２に測定装置１の動作を示すフローチャートを示し、図３〜図１０にタッチパネル１６の表示例や操作例を示す。
【００４１】
測定装置１（図１参照）のＣＰＵ１５は、電源が投入されると記憶部１９のプログラムに従って動作する。ＣＰＵ１５は、測定部１２を制御して測定を実行し、測定データを取得する。ＣＰＵ１５は、取得した測定データを記憶部１９に記憶させる。この測定動作は、従来の測定装置と同様である。
【００４２】
また、ＣＰＵ１５は波形表示処理手段３０として動作して、表示画面１７に測定データに基づく波形を表示する（図２の波形表示処理ステップＳ１）。波形表示処理手段３０は、測定中にリアルタイムに波形を表示してもよいし、測定終了後に、測定者による波形表示操作によって波形を表示してもよい。波形表示処理手段３０は、波形として、電圧などの測定データを時間軸に沿って波形表示したり、電圧及び電流の測定データに基づきインピーダンス等に演算処理してから時間軸に沿って波形表示したりする。測定装置１が、測定プローブを移動機構で順次移動させて測定を行うものである場合、測定位置を横軸とする波形を表示するものであってもよい。波形を表示する縦軸・横軸、グラフの種類等は、公知の測定装置の波形表示方法と同様であり、測定対象物や測定データの種類によって異なる。波形の表示スケールや表示するデータ範囲は、タッチパネル１６の操作により、適宜設定できる。
【００４３】
波形を表示すると、ＣＰＵ１５は情報表示処理手段３１として動作して、波形上の接触位置にマーカーを表示すると共に、マーカーの位置に対応する波形の情報を表示画面１７に表示して、情報の表示位置を、情報に対する接触位置の移動に対応させて移動させる。以下、具体的に説明する。
【００４４】
図３に、波形表示処理ステップＳ１（図２参照）で、タッチパネル１６の表示画面１７に、波形表示処理手段３０が測定データに基づく波形を表示した例を示す。同図には、チャネル１の波形Ａ、チャネル２の波形Ｂの表示例を示している。
【００４５】
同図に示すように、測定者は、マーカーを表示させる波形上の任意の位置を、指９０で接触する。指９０に換えてタッチペンで接触してもよい。
【００４６】
情報表示処理手段３１（図１参照）は、図２の接触検出ステップＳ２で表示画面１７への接触を検出すると、表示内容判別ステップＳ３に進み、接触位置の表示内容を判別する。
【００４７】
表示内容判別ステップＳ３で、情報表示処理手段３１が表示内容を波形であると判別すると、操作種別判別ステップＳ４に進み、ＣＰＵ１５が操作種別判別手段３２（図１参照）として動作する。操作種別判別手段３２は、表示画面１７上の接触による操作種別を判別する。ここで、操作種別とは、指９０によるタッチパネル１６の操作の種別であり、一例として、画面に触れてすぐ離す操作である「タップ」、画面に触れてすぐ離すことを短時間に２回行う操作である「ダブルタップ」、画面に一定時間以上触れてから離す操作である「ロングタップ」、移動対象に触れてそのまま移動させたい位置まで画面から離さずにスライドさせる操作である「ドラッグ」などがある。
【００４８】
操作種別判別ステップＳ４で、操作種別判別手段３２が操作種別を一例としてロングタップであると判別すると、マーカー表示ステップＳ５に進み、情報表示処理手段３１が、表示画面１７の波形上の指９０の接触位置に、マーカーを表示する。ロングタップでマーカーを表示するようにすると、意図しない短い接触でマーカーが表示されることを防止できるため好ましいが、必要性に応じてタップ、ダブルタップなどの波形上に接触する他の操作でマーカーを表示するようにしてもよい。
【００４９】
続いて、情報表示ステップＳ６に進み、情報表示処理手段３１がマーカーの位置の測定データを記憶部１９から読み込み、必要に応じて演算処理して、マーカーの位置に対応する波形の情報を表示画面１７に表示する。ここで波形の情報とは、波形の縦軸・横軸の値、波形を演算処理して表示している場合は元の測定データ、波形の測定チャネルなどであり、従来の測定装置がマーカーに対応させて表示する情報と同様であってもよい。
【００５０】
続いて、記憶ステップＳ７に進み、情報表示処理手段３１は、波形に対するマーカー及び情報の表示位置を、波形に対して再現して表示画面１７に再表示可能なように、記憶部１９に記憶させる。一例として、情報表示処理手段３１は、マーカーの表示位置として、例えばデータ番号や横軸の値など、マーカーの位置の測定データを特定する情報を記憶部１９に記憶させる。また、一例として、情報表示処理手段３１は、情報の表示位置として、マーカーに対する相対的なＸＹ座標や、相対的な距離及び方向など、マーカーに対する相対的な表示位置を記憶部１９に記憶させる。
【００５１】
表示した情報の内容については、情報表示処理手段３１が記憶部１９の測定データから再現することができる場合には記憶部１９に記憶させなくてもよいが、記憶部１９に記憶させてもよい。再現できない場合には、情報の内容を記憶部１９に記憶させる。図２に示す操作種別判別ステップＳ４で、操作種別判別手段３２がロングタップでないその他の操作であると判別したときは、接触検出ステップＳ２に戻る。
【００５２】
図４に、マーカーＭａ１、情報表示枠Ｃａ１（情報）の表示例を示す。同図では、マーカーＭａ１を丸印で示しているが、公知のマーカーのように、三角形等の多角形や、波形を縦方向や横方向に横切るラインで示してもよい。情報表示枠Ｃａ１は、マーカーＭａ１に対する波形の情報を囲んで表示する枠線である。同図では、一例として、情報表示枠Ｃａ１内に、横軸に対応する時間「１４．２ｓ」、チャネル「ＣＨ２」、縦軸に対応する電圧「８２．３Ｖ」、コメント「最小値」を情報として表示している。コメントは測定者が入力したものであり、その入力については後述する。情報表示枠Ｃａ１内に情報を表示することで、情報が見やすくなるため好ましい。情報表示枠Ｃａ１全体の表示色を背景色と異ならせて表示してもよい。情報表示枠Ｃａ１の形状は、同図に示すように四角形のような多角形であってもよいし、楕円であってもよいし、特に限定されない。情報は、情報表示枠Ｃａ１のような枠線を表示せず、文字だけを表示してもよい。
【００５３】
同図に示すように、情報表示処理手段３１は、マーカーＭａ１と情報表示枠Ｃａ１とを繋ぐ引き出し線Ｌａ１を表示することが好ましい。引き出し線Ｌａ１を表示することで、マーカーＭａ１に対する情報表示枠Ｃａ１（情報）がどこに表示されているか、測定者は直ちに視認することができる。情報表示処理手段３１が情報表示枠Ｃａ１を最初に表示する位置は、マーカーＭａ１の近くの波形Ａ，Ｂと重ならない位置に表示することが好ましいが、情報表示枠Ｃａ１は後述するように移動させることが可能なので、最初に何れの位置に表示するようにしてもよい。情報を囲む枠線の情報表示枠Ｃａ１を表示しないときには、文字だけでマーカーＭａ１に対応する情報を表示して、その文字の近くまで、引き出し線Ｌａ１を表示するようにしてもよい。
【００５４】
情報表示枠Ｃａ１の表示位置を移動させるときは、図５に示すように、測定者は、表示させたい任意の位置まで、情報表示枠Ｃａ１を指９０でドラッグする。
【００５５】
このとき、図２の接触検出ステップＳ２で、情報表示処理手段３１が指９０の接触を検出して、表示内容判別ステップＳ３で、情報表示処理手段３１が指９０の接触位置の表示内容を情報表示枠Ｃａ１であると判別する。これにより、操作種別判別ステップＳ８に進み、操作種別判別手段３２が、ドラッグ操作であるか、ダブルタップ操作であるかその他の操作であるか判別する。操作種別判別ステップＳ８で、操作種別判別手段３２が、ドラッグであると判別したときに、情報表示枠移動ステップＳ９に進み、情報表示処理手段３１は、指９０の接触位置の移動に合わせて、情報表示枠Ｃａ１の表示位置を移動させる。これにより、指９０の接触位置の移動と共に情報表示枠Ｃａ１が移動していく。
【００５６】
情報表示処理手段３１は、図５に示すように、情報表示枠Ｃａ１の移動に合わせて、マーカーＭａ１と情報表示枠Ｃａ１とを繋ぐように引き出し線Ｌａ１も移動させて表示することが好ましい。引き出し線Ｌａ１は、マーカーＭａ１に最も近い情報表示枠Ｃａ１の角部につなぐようにしてもよいし、マーカーＭａ１に最も近い辺の中央部と繋ぐようにしてもよいし、繋ぐ位置は適宜決めればよい。
【００５７】
測定者は、情報表示枠Ｃａ１を配置したい任意の位置までドラッグさせて、指９０を表示画面１７から離す。ドラッグが終了すると、情報表示処理手段３１は、移動した情報表示枠Ｃａ１の表示位置を、記憶部１９に記憶させる（記憶ステップＳ７）。
【００５８】
なお、情報表示処理手段３１は、図５の表示画面１７の左上に示すように、情報表示枠Ｃａ１の削除用のごみ箱Ｔのアイコンを表示させるようにしてもよい。このゴミ箱Ｔアイコンは、図２の表示内容判別ステップＳ３で情報表示枠Ｃａ１であると判別したときに表示させるようにしてもよいし、情報表示枠移動ステップＳ９で情報表示枠Ｃａ１を移動させるときに表示させるようにしてもよいし、常時表示させるようにしてもよい。情報表示処理手段３１は、情報表示枠移動ステップＳ９（図２参照）で、ごみ箱Ｔの位置に情報表示枠Ｃａ１がドラッグされたときは、マーカーＭａ１、情報表示枠Ｃａ１、及び引き出し線Ｌａ１の表示を表示画面１７から消すと共に、記憶部１９からこれらの情報を消去する。情報表示枠Ｃａ１の消去方法は、ごみ箱Ｔを用いた方法に限られず、例えば情報表示枠Ｃａ１がロングタップされたときに、情報表示処理手段３１が消去するか否かの確認表示を表示画面１７に表示させて、消去が選択されたときに消すようにしてもよい。このようにゴミ箱Ｔを表示すると、情報表示枠Ｃａ１等を簡便な操作で削除することができる。
【００５９】
また、測定者は、情報表示枠Ｃａ１の情報にコメントを追加したい場合、情報表示枠Ｃａ１を一例としてダブルタップする。コメントの入力操作は、ダブルタップ以外の操作（例えばロングタップ）で入力できるようにしてもよい。
【００６０】
このとき、図２に示す接触検出ステップＳ２で、情報表示処理手段３１が接触を検出したときに、表示内容判別ステップＳ３で表示内容が情報表示枠Ｃａ１であると判別する。続いて、操作種別判別ステップＳ８で、操作種別判別手段３２が、情報表示枠Ｃａ１をダブルタップ操作されたと判別したときに、コメント入力ステップＳ１０に進み、ＣＰＵ１５はコメント入力手段として動作する。コメント入力手段３３は、一例として、図示しないが表示画面１７に、コメント入力用の仮想キーボード（ソフトウエアキーボード）を表示させる。測定者は、コメント入力手段３３（キーボード）の操作によりコメントを入力する。実際のキーボードを用いてコメントを入力してもよい。情報表示処理手段３１は、コメント表示ステップＳ１１で、入力されたコメントを情報表示枠Ｃａ１内の情報に付して、表示画面１７に表示する。また、情報表示処理手段３１は、情報表示枠Ｃａ１内にコメントを再表示可能に、記憶部１９に記憶させる（記憶ステップＳ７）。例えば、情報表示処理手段３１は、コメントをマーカー、測定データ、又は情報表示枠に対応付けて、記憶部１９に記憶させる。なお、操作種別判別ステップＳ８で、その他の操作が行われたときは、接触検出ステップＳ２に戻る。
【００６１】
また、図６に示すように、測定者は、波形上を指９０でなぞるようにマーカーＭａ１をドラッグ操作することで、波形上のマーカーＭａ１の表示位置を変更することができる。
【００６２】
このとき、図２の接触検出ステップＳ２で、情報表示処理手段３１が接触を検出したときに、表示内容判別ステップＳ３で、指９０の接触位置の表示内容がマーカーＭａ１であると判別する。これにより、操作種別判別ステップＳ１２に進み、操作種別判別手段３２がドラッグ操作を判別すると、マーカー移動ステップＳ１３に進む。マーカー移動ステップＳ１３では、情報表示処理手段３１がマーカーＭａ１の表示位置を、指９０の接触位置の移動に合わせて波形上を移動させる。情報表示処理手段３１は、移動させているマーカーＭａ１の表示位置に対応させて、情報表示枠Ｃａ１内の情報を逐次更新して表示する。このとき、情報表示処理手段３１は、情報表示枠Ｃａ１の位置は移動させず、引き出し線Ｌａ１がマーカーＭａ１と情報表示枠Ｃａ１とを繋ぐように表示させる。
【００６３】
測定者は、マーカーＭａ１を希望の任意の位置までドラッグさせて、指９０を表示画面１７から離す。ドラッグが終了すると、情報表示処理手段３１は、マーカーＭａ１や情報表示枠Ｃａ１の表示位置を再現して表示可能に、マーカーＭａ１の表示位置等を、記憶部１９に記憶させる（記憶ステップＳ７）。なお、操作種別判別ステップＳ１２で、その他の操作が行われたときは、接触検出ステップＳ２に戻る。
【００６４】
このように、情報表示枠Ｃａ１の表示位置や、マーカーＭａ１の表示位置を、指９０のドラッグ操作で、測定者の希望する任意の位置に移動させることができる。
【００６５】
図７に、表示画面１７に、複数のマーカーＭａ１，Ｍａ２，Ｍａ３，Ｍｂ１、及びそれらの情報を示す情報表示枠Ｃａ１，Ｃａ２，Ｃａ３，Ｃｂ１を表示した例を示す。マーカーＭａ１，Ｍａ２，Ｍａ３，Ｍｂ１と情報表示枠Ｃａ１，Ｃａ２，Ｃａ３，Ｃｂ１とは、それぞれ対応する引き出し線Ｌａ１，Ｌａ２，Ｌａ３，Ｌｂ１で繋いで表示している。この表示例は、測定者がタッチパネル１６を操作して、情報表示枠Ｃａ１，Ｃａ２，Ｃａ３，Ｃｂ１を、波形Ａ，Ｂに重ならない位置に移動させて表示した例である。このように、波形Ａ，Ｂと重ならない位置に移動できるので、情報表示枠Ｃａ１，Ｃａ２，Ｃａ３，Ｃｂ１の情報を、見やすく表示することができる。
【００６６】
情報表示枠Ｃａ１，Ｃａ２，Ｃａ３，Ｃｂ１の表示サイズは、それぞれ適宜調整できるようにすることが好ましい。
【００６７】
図８に、情報表示枠Ｃａ２の表示サイズを調整する場合の操作例を示す。情報表示枠Ｃａ２を大きく表示させる場合、測定者は、図８（ａ）に示すように、情報表示枠Ｃａ２を２本の指９０ａ，９０ｂで触って、そのまま指９０ａ，９０ｂの間隔を広げるピンチアウト操作を行う。操作種別判別手段３２が操作種別判別ステップＳ８（図２参照）でこのピンチアウト操作を判別したときに、情報表示処理手段３１は、ピンチアウト操作の指９０ａ，９０ｂの間隔に対応させて、情報表示枠Ｃａ２や情報の文字サイズを大きくして表示する。この場合、情報表示処理手段３１は、情報表示枠Ｃａ２の表示サイズや文字サイズを再現して表示可能に記憶部１９に記憶させる。
【００６８】
情報表示枠Ｃａ２を小さく表示させる場合、測定者は、図８（ｂ）に示すように、間隔を広げた２本の指９０ａ，９０ｂで情報表示枠Ｃａ２を触って、そのまま指９０ａ，９０ｂの間隔を狭くするピンチイン操作を行う。操作種別判別手段３２がこのピンチイン操作を判別したときに、情報表示処理手段３１は、狭くした指９０ａ，９０ｂの間隔に対応させて、情報表示枠Ｃａ２や情報の文字サイズを小さくして表示する。情報表示処理手段３１は、情報表示枠Ｃａ２の表示サイズや文字サイズを再現して表示可能に記憶部１９に記憶させる。
【００６９】
このように、情報表示枠Ｃａ１〜Ｃｂ１の表示サイズや文字サイズを可変調整できようにすることで、例えば波形が込み合っている場所に情報表示枠を表示させる場合や数多くの情報表示枠を表示させる場合に、表示サイズを調整して、情報表示枠を見やすく表示することができる。また、重要な情報表示枠は大きく表示させ、重要でない情報表示枠を小さく表示させるような使い方もできる。
【００７０】
測定装置１は、波形データを記憶部１９に記憶すると共に、マーカーＭａ１〜Ｍｂ１の表示位置、情報表示枠Ｃａ１〜Ｃｂ１の表示位置（表示サイズを含む）、コメント、及び必要に応じて情報の内容を記憶部１９に記憶している。このため、波形表示処理手段３０が、図２の波形表示ステップＳ１で測定データを記憶部１９から読み込んで波形Ａ，Ｂを表示したときに、情報表示処理手段３１が、マーカーＭａ１〜Ｍｂ１及び情報表示枠Ｃａ１〜Ｃｂ１の表示位置、コメント等を記憶部１９から読み込んで、マーカーＭａ１〜Ｍｂ１、情報表示枠Ｃａ１〜Ｃｂ１（情報、コメント）、引き出し線Ｌａ１，Ｌａ２，Ｌａ３，Ｌｂ１を、波形Ａ，Ｂに対して位置関係を再現して表示画面１７に表示することができる。情報表示処理手段３１が、記憶ステップＳ７で、波形Ａ，Ｂの表示スケール、及び波形Ａ，Ｂの例えば表示開始位置等の表示位置も記憶部１９に記憶させておくと、表示画像を全く同様に再現できるので、より好ましい。
【００７１】
また、波形のスクロール（移動）表示と共に、マーカー及び情報表示枠も波形と共に移動させることが好ましい。
【００７２】
その場合、測定者が波形Ａ，Ｂを左右方向（又は上下方向）に移動させるスクロール操作をしたときに、波形表示処理手段３０が測定データを記憶部１９から読み込んで波形Ａ，Ｂをスクロールさせて表示すると共に、情報表示処理手段３１がマーカーＭａ１〜Ｍｂ１及び情報表示枠Ｃａ１〜Ｃｂ１に対するデータを記憶部１９から読み込んで、波形Ａ，Ｂのスクロール表示に対応させて、マーカーＭａ１〜Ｍｂ１及び情報表示枠Ｃａ１〜Ｃｂ１、及び引き出し線Ｌａ１，Ｌａ２，Ｌａ３，Ｌｂ１の表示位置を移動させる。
【００７３】
図９に、図７に示す波形をスクロールした表示例を示す。測定者は、波形Ａ，Ｂをスクロール表示するときに、一例として、表示画面１７を指９０でスクロースさせる方向（上下左右）に短く弾く操作であるフリック操作を行う。図９では、表示画面１７を右方向にフリック操作して、波形Ａ，Ｂを右方向にスクロールさせた例を示している。マーカーＭａ１，Ｍａ２，Ｍｂ１、情報表示枠Ｃａ１，Ｃａ２，Ｃｂ１、及び引き出し線Ｌａ１，Ｌａ２，Ｌｂ１の波形Ａ，Ｂに対する相対的な位置関係は維持される。スクロールにより表示画面１７からはみ出したマーカーＭａ３、情報表示枠Ｃａ３、及び引き出し線Ｌａ３は表示しない。
【００７４】
測定装置１（波形表示処理手段３０及び情報表示処理手段３１）は、記憶部１９からデータを読み込んで、波形Ａ，Ｂ、マーカーＭａ１〜Ｍｂ１、情報表示枠Ｃａ１〜Ｃｂ１、及び引き出し線Ｌａ１〜Ｌｂ１を、表示画面１７に再現して表示することができる。このため、測定者は、過去に表示させたマーカーや情報表示枠を、過去に設定した表示位置のまま表示画面１７に表示させて、その内容を確認することができる。
【００７５】
また、測定装置１（情報表示処理手段３１）は、表示画面１７に表示されている表示画像データを、外部Ｉ／Ｆ部２０から外部のコンピュータやプリンタなどの外部機器に出力したり、外部記録装置２１に装着した外部記録媒体に記録したりすることができるようにすることが好ましい。表示画像データは、例えばＢＭＰ形式、ＪＰＧ形式、ＧＩＦ形式等の画像ファイル形式に変換して、または、ＤＷＦ形式、ＤＸＦ形式、ＤＷＧ形式等のＣＡＤソフトやドローイングソフトで読み込み可能なファイル形式に変換して外部Ｉ／Ｆ部２０等から出力するようにしてもよい。表示画面１７に表示されている表示画像データを外部Ｉ／Ｆ部２０等から出力する場合、表示画像をハードコピーして、外部Ｉ／Ｆ部２０等から出力するようにしてもよい。
【００７６】
このように外部Ｉ／Ｆ部２０や外部記録装置２１から外部に表示画像データを出力可能にすることで、測定者は、波形Ａ，ＢにマーカーＭａ１等、情報表示枠Ｃａ１等を配置した画像を外部のコンピュータで利用したり、プリンタで紙に印刷したりして利用することができる。
【００７７】
情報表示処理手段３１は、記憶部１９に記憶されているマーカー及び情報表示枠を検索して、その表示位置の波形を波形表示処理手段３０に表示画面１７に表示させると共に、マーカー、情報表示枠、及び引き出し線を表示画面１７に表示可能であることが好ましい。
【００７８】
例えば、表示画面１７を指９０でロングタップすると、ＣＰＵ１５は、表示画面１７に機能選択用のメニュー（図示せず）を表示させる。そのメニューの中から、マーカー（または情報表示枠）選択表示機能が選択されると、ＣＰＵ１５は、記憶部１９の中からマーカーや情報表示枠を検索して、図１０に示すように、一例として一覧表形式で表示する。測定者は、表示させたいマーカーの欄を指９０で接触（例えばタップ）して選択する。情報表示処理手段３１は、選択されたマーカー（例えばマーカーＭａ１）に対応させて、例えば図１や図７に示すように、波形Ａ，Ｂ、マーカーＭａ１や情報表示枠Ｃａ１を、表示画面１７に再現して表示する。なお、同図に示したマーカーや情報（コメント含む）を示す一覧表自体を、外部Ｉ／Ｆ部２０や外部記録装置２１から出力できるようにしてもよい。
【００７９】
情報表示処理手段３１は、マーカー及び情報表示枠を記憶部１９から１つずつ順番に検索して、検索する毎に、マーカーや情報表示枠の位置まで波形をジャンプさせて、マーカー等と共に表示画面１７に表示させるようにしてもよい。
【００８０】
なお、操作種別判別手段３２が、ロングタップ、ダブルタップ、ピンチイン、ピンチアウトなどの複数の操作の種別を検出する例について説明したが、単に接触位置を検出するだけでよければ、操作種別判別手段３２を用いずに、情報表示処理手段３１が接触位置に応じた動作をするようにしてもよい。
【００８１】
また、図示しないが、情報表示処理手段３１が表示画面１７に記録ボタンを表示させて、この記録ボタンが操作されたときに、マーカー及び情報表示枠の表示位置を、記憶部１９に再現可能に記憶させるようにしてもよい。また、タッチパネル１６以外に、操作ボタン（スイッチ）やキーボードなどの操作部１８を設け、タッチパネル１６と併用して、測定装置１を操作するようにしてもよい。例えば、操作ボタンとして、上記の記録ボタンや、記憶部１９に記憶されているマーカー等を波形と共に再表示する画像表示ボタン、波形スクロール用のカーソル（十字）ボタンが例示できる。
【００８２】
また、情報表示処理手段３１は、マーカーＭａ１〜Ｍｂ１及び情報表示枠Ｃａ１〜Ｃｂ１の表示を、測定者の操作に従って、それぞれ独立的にオン／オフできるようにしてもよい。
【００８３】
次に、本発明を適用するプログラムについて説明する。
【００８４】
図１１に、本発明のプログラムで動作させたコンピュータ５０の使用状態を示す概略図を示す。なお、以下において既に説明した構成と同様の構成については、同じ符号を付して詳細な説明を省略する。
【００８５】
コンピュータ５０は、一例として、スマートフォン、ＰＤＡ(Personal Digital Assistants)、携帯型汎用コンピュータなどのタッチパネル１６を搭載したタブレット型の携帯情報端末である。コンピュータ５０は、タッチパネル１６以外に操作ボタンを備えていてもよい。コンピュータ５０として、図示しないが、タッチパネルと本体とが別体型のいわゆるデスクトップ型のコンピュータを用いてもよい。
【００８６】
測定ユニット５１は、測定用センサ１１を備えて測定データを測定するものである。測定ユニット５１は、コンピュータ５０に測定データを無線又は有線で送信可能になっている。コンピュータ５０は、測定ユニット５１が測定した測定データを受信して、タッチパネル１６に波形表示したり、記録したりする。測定ユニット５１が測定した測定データを外部記録媒体に記録して、コンピュータ５０が外部記録媒体から測定データを読み込むようにしてもよい。コンピュータ５０と測定ユニット５１とによって測定装置が構成されるようにしてもよいし、コンピュータ５０を、何れかの測定装置が測定した測定データに基づく波形を表示する表示装置として用いてもよい。コンピュータ５０と測定ユニット５１とによって測定装置を構成する場合、測定ユニット５１の動作設定や測定開始や停止などの測定ユニット５１の操作は、コンピュータ５０の操作で行えるようにしてもよい。この場合、測定ユニット５１に関する設定項目や操作信号は、コンピュータ５０から測定ユニット５１に無線又は有線で送信する。
【００８７】
図１２に、コンピュータ５０のブロック図を示す。
【００８８】
同図に示すように、コンピュータ５０は、ＣＰＵ４１、タッチパネル１６、記憶部１９、外部Ｉ／Ｆ（インタフェース）部２０ａ、及び外部記録装置２１を備えている。
【００８９】
ＣＰＵ４１は、記憶部１９に記憶された本発明のプログラムに従って動作して、コンピュータ５０の動作を統括的に制御して、既に説明した測定装置１のＣＰＵ１５と同様に、波形表示処理手段３０、情報表示処理手段３１、操作種別判別手段３２、及びコメント入力手段３３として動作する。
【００９０】
外部Ｉ／Ｆ部２０ａは、外部機器接続用のインタフェースである。外部Ｉ／Ｆ部２０ａを、外部機器である測定ユニット５１と接続してデータ通信するために用いたり、表示画像データを外部に出力するために用いたりする。コンピュータ５０には、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）などの外部Ｉ／Ｆ部２０ａを有している場合が多いので、これらを利用することが好ましい。外部Ｉ／Ｆ部２０ａとして、無線ＬＡＮやＢｌｕｅｔｏｏｔｈを用いると、離れた場所に設置した測定ユニット５１と無線でデータ通信できることから、測定ユニット５１の設置性に優れるため、特に好ましい。
【００９１】
本発明のプログラムは、ＣＰＵ４１が、外部記録装置２１に装着した外部記録媒体や、ＬＡＮなどの外部Ｉ／Ｆ部２０を介して外部のコンピュータから読み込んで、記憶部１９に記憶させてもよい。
【００９２】
図１３に、測定ユニット５１のブロック図を示す。
【００９３】
測定ユニット５１は、測定用センサ１１、測定部１２、ＣＰＵ６１、記憶部６２、及び外部Ｉ／Ｆ部２０ｂを備えている。ＣＰＵ６１は、測定ユニット５１の動作を統括的に制御して、測定部１２に測定を行わせ、測定データをコンピュータ５０に送信する。記憶部６２は、ＣＰＵ６１の動作用のプログラムや、設定項目等を記憶する書き換え可能な不揮発性メモリである。外部Ｉ／Ｆ部２０ｂは、コンピュータ５０の外部Ｉ／Ｆ部２０ａと接続するためのインタフェースである。なお、測定ユニット５１が、表示画面や設定部を備えていてもよい。
【００９４】
次に、コンピュータ５０の動作について説明する。
【００９５】
本発明のプログラムは、表示画面１７上の接触位置を検出可能なタッチパネル１６を備えるコンピュータ５０に、測定データに基づく波形を表示させるプログラムであって、コンピュータ５０を、測定データを記憶する記憶部１９と、表示画面１７に測定データに基づく波形を表示する波形表示処理手段３０と、波形上の接触位置にマーカーを表示すると共にマーカーの位置に対応する波形の情報を表示画面１７に表示して、情報の表示位置を、情報に対する接触位置の移動に対応させて移動させる情報表示処理手段３１として、動作させる。このプログラムは、情報表示処理手段３１が、波形に対するマーカー及び情報の表示位置を、波形に対して再表示可能に、記憶部１９に記憶させることが好ましい。このプログラムは、コンピュータ５０を、情報に対しコメントを入力するためのコメント入力手段３３として動作させ、情報表示処理手段３１が、入力されたコメントを情報に追加して表示することが好ましい。コンピュータ５０が、外部機器と接続するための外部インタフェース部、及び／又は、外部記録媒体に書き込むための外部記録装置を備えている場合、このプログラムは、情報表示処理手段３１が、表示画面１７に表示されている表示画像データを、外部インタフェース部２０ａから出力可能であり、及び／又は、外部記録装置２１から前記外部記録媒体に書き込み可能であることが好ましい。このプログラムは、情報表示処理手段３１が、波形のスクロール表示に対応させて、波形と共にマーカー及び情報の表示位置を移動させることが好ましい。このプログラムは、情報表示処理手段３１が、情報とマーカーとを繋ぐ引き出し線を表示することが好ましい。このプログラムは、情報表示処理手段３１が、記憶部１９に記憶されたマーカー及び情報の表示位置を検索可能であることが好ましい。このプログラムは、情報表示処理手段３１が、マーカーの表示位置を、マーカーに対する接触位置の移動に対応させて、波形上を移動させることが好ましい。
【００９６】
コンピュータ５０のＣＰＵ４１は、記憶部１９のプログラムにより、波形表示処理手段３０、情報表示処理手段３１、操作種別判別手段３２、及びコメント入力手段３３として動作する。これらの動作は、既に説明した測定装置１の動作と同様であるため、説明は省略する。コンピュータ５０は、本発明のプログラムに従って動作することで、測定装置１と同様に図２に示すフローチャートに従って動作して、例えば図３〜図１０に示すような表示や操作が可能になる。
【符号の説明】
【００９７】
１は測定装置、１１は測定用センサ、１２は測定部、１３は増幅器、１４はアナログ／デジタル変換器、１５はＣＰＵ、１６はタッチパネル、１７は表示画面、１８は操作部、１９は記憶部、２０・２０ａ・２０ｂは外部Ｉ／Ｆ部、２１は外部記録装置、３０は波形表示処理手段、３１は情報表示処理手段、３２は操作種別判別手段、３３はコメント入力手段、４１はＣＰＵ、５０はコンピュータ、５１は測定ユニット、６１はＣＰＵ、６２は記憶部、９０・９０ａ・９０ｂは指、Ａ・Ｂは波形、Ｃａ１・Ｃａ２・Ｃａ３・Ｃｂ１は情報表示枠、Ｌａ１・Ｌａ２・Ｌａ３・Ｌｂ１は引き出し線、Ｍａ１・Ｍａ２・Ｍａ３・Ｍｂ１はマーカー、Ｔはごみ箱アイコン、
Ｓ１は波形表示処理ステップ、Ｓ２は接触検出ステップ、Ｓ３は表示内容判別ステップ、Ｓ４は操作種別判別ステップ、Ｓ５はマーカー表示ステップ、Ｓ６は情報表示ステップ、Ｓ７は記憶ステップ、Ｓ８は操作種別判別ステップ、Ｓ９は情報表示枠移動ステップ、Ｓ１０はコメント入力ステップ、Ｓ１１はコメント表示ステップ、Ｓ１２は操作種別判別ステップ、Ｓ１３はマーカー移動ステップである。
【図１】
2014153312.tif 000003
【図２】
2014153312.tif 000004
【図３】
2014153312.tif 000005
【図４】
2014153312.tif 000006
【図５】
2014153312.tif 000007
【図６】
2014153312.tif 000008
【図７】
2014153312.tif 000009
【図８】
2014153312.tif 000010
【図９】
2014153312.tif 000011
【図１０】
2014153312.tif 000012
【図１１】
2014153312.tif 000013
【図１２】
2014153312.tif 000014
【図１３】
2014153312.tif 000015